(57)【要約】【課題】表示パネルを一の向きで使用する場合でも、これに対して反転させた他の向きで使用する場合でも、ＴＶ受信機用の回路基板などの部品を、表示パネルの背面に取り付けることができるようにする。【解決手段】液晶パネル背面の、板金からなるボトムシャーシ１４の背面に、取付台部２１ａ〜２１ｅ，２２ａ〜２２ｅと、取付台部２３ａ〜２３ｅ，２４ａ〜２４ｅとを、それぞれボトムシャーシ１４（液晶パネル）の中心Ｐｃに対して点対称に配置形成する。取付台部２１ａ〜２１ｅ，２２ａ〜２２ｅ，２３ａ〜２３ｅ，２４ａ〜２４ｅは、位置決め用の凸部と取付用の穴とを形成したもの、位置決め用の凸部のみを形成したもの、または取付用の穴のみを形成したものとする。【選択図】図２
2008096666.tif 000002
【特許請求の範囲】
【請求項１】
表示パネル本体と、この表示パネル本体の背面側に取り付けられた部品取付基板とを備え、
前記部品取付基板には、これに部品を取り付けるための複数の穴が、当該基板の所定エリアの中心に対して点対称に配置形成されていることを特徴とする表示パネル。
【請求項２】
請求項１の表示パネルにおいて、
前記部品取付基板には、これに取り付けられる部品の位置決め用の複数の凸部が、前記中心に対して点対称に配置形成されていることを特徴とする表示パネル。
【請求項３】
請求項１の表示パネルにおいて、
前記表示パネル本体は、液晶パネル本体であり、その液晶パネル本体と前記部品取付基板との間に、バックライトユニットが配置されていることを特徴とする表示パネル。
【請求項４】
機器外観部品と、この機器外観部品の背面側に取り付けられた表示パネルとを備え、
前記表示パネルは、表示パネル本体と、この表示パネル本体の背面側に取り付けられた部品取付基板とを有し、
前記部品取付基板には、これに部品を取り付けるための複数の穴が、当該基板の所定エリアの中心に対して点対称に配置形成されていることを特徴とする表示機器。
【請求項５】
請求項４の表示機器において、
前記部品取付基板には、これに取り付けられる部品の位置決め用の複数の凸部が、前記中心に対して点対称に配置形成されていることを特徴とする表示機器。
【請求項６】
請求項４の表示機器において、
前記表示パネル本体は、液晶パネル本体であり、その液晶パネル本体と前記部品取付基板との間に、バックライトユニットが配置されていることを特徴とする表示機器。
【請求項７】
部品を取り付けるための複数の穴が、当該基板の所定エリアの中心に対して点対称に配置形成されていることを特徴とする部品取付基板。
【請求項８】
請求項７の部品取付基板において、
部品の位置決め用の複数の凸部が、前記中心に対して点対称に配置形成されていることを特徴とする部品取付基板。
【発明の詳細な説明】
【技術分野】
【０００１】
この発明は、液晶パネルなどの表示パネル、ＴＶ（テレビジョン）受信機などの表示機器、および部品取付基板に関する。
【背景技術】
【０００２】
特許文献１（特開２００６−５３５２９号公報）など、多くの特許文献に示されているように、ＴＶ受信機などに用いられる液晶パネルには、背面側に、液晶駆動用やバックライト駆動用の回路基板、ＴＶ受信機用の回路基板、シールド板、放熱板などの部品が取り付けられる。
【０００３】
図８に、この場合の一例を概略的に示す。図８（Ａ）は、液晶パネルを正面側から見た図であり、図８（Ｂ）は、液晶パネルの断面構造を示す図であり、図８（Ｃ）は、液晶パネルを背面側から見た図である。
【０００４】
液晶パネル７０は、枠状シャーシ７２の内側に液晶パネル本体７１が配置され、液晶パネル本体７１の背面にバックライトユニット７５が配置され、バックライトユニット７５の背面にボトムシャーシ７４が配置される。
【０００５】
液晶パネル本体７１の、例えば上側周縁部には、液晶パネル本体７１の内部に形成された液晶駆動回路に接続されたフレキシブルコネクタ８２が設けられ、ボトムシャーシ７４の背面の、例えば上側中央部には、このフレキシブルコネクタ８２が接続される液晶駆動用のタイミング回路の回路基板８１が取り付けられるとともに、ボトムシャーシ７４の背面の、例えば左側部分および右側部分には、バックライト駆動用のインバータ回路の回路基板８４および８５が取り付けられる。
【０００６】
ＴＶ受信機の場合には、さらに、図８（Ｃ）に破線で示すように、ボトムシャーシ７４の背面に、ＴＶ受信機用の回路基板８６〜８９が取り付けられる。
【０００７】
さらに、図８では省略したが、回路基板８１などの背面側には、シールド板が取り付けられ、回路基板８４，８５などの背面側には、放熱板が取り付けられる。
【０００８】
上に挙げた先行技術文献は、以下のとおりである。
【特許文献１】特開２００６−５３５２９号公報
【発明の開示】
【発明が解決しようとする課題】
【０００９】
図８のように液晶パネル７０の背面に、液晶パネル用の回路基板８１，８４，８５およびＴＶ受信機用の回路基板８６〜８９を取り付ける場合、各回路基板の熱気が効果的に放出され、液晶パネル７０の背面側の温度が十分に低下するように、ＴＶ受信機を設計する。
【００１０】
例えば、一般に、回路基板８１は、熱がこもりやすい構造になっていて、高温になるので、その熱気が逃げやすくなり、回路基板８１の温度が低くなるように、工夫する必要がある。
【００１１】
そのため、回路基板８１，８４および８５が取り付けられた液晶パネル７０を、図８に示すように回路基板８１を画面上側にした状態で、図８に破線で示すように回路基板８６〜８９を取り付けた場合の、液晶パネル７０の背面側の温度と、回路基板８１，８４および８５が取り付けられた液晶パネル７０を、図９に示すように回路基板８１を画面下側にするように反転させた状態で、図９に破線で示すように回路基板８６〜８９を取り付けた場合の、液晶パネル７０の背面側の温度とを比較し、最終的にＴＶ受信機としては、液晶パネル７０の背面側の温度をより下げることができる向きで、液晶パネル７０を使用することが考えられる。
【００１２】
そこで、この発明は、液晶パネルなどの表示パネルにおいて、表示パネルを一の向きで使用する場合でも、これに対して反転させた他の向きで使用する場合でも、ＴＶ受信機用の回路基板などの部品を、表示パネルの背面に取り付けることができるようにしたものである。
【課題を解決するための手段】
【００１３】
この発明の表示パネルは、
表示パネル本体と、この表示パネル本体の背面側に取り付けられた部品取付基板とを備え、
前記部品取付基板には、これに部品を取り付けるための複数の穴が、当該基板の所定エリアの中心に対して点対称に配置形成されていることを特徴とする。
【００１４】
上記の構成の表示パネルでは、表示パネル本体の背面側に取り付けられた部品取付基板に、当該基板の所定エリアの中心に対して点対称に、部品を取り付けるための複数の穴が配置形成されているので、表示パネルを一の向きで使用する場合でも、これに対して反転させた他の向きで使用する場合でも、ＴＶ受信機用の回路基板などの部品を、表示パネルの背面の部品取付基板に取り付けることができる。
【発明の効果】
【００１５】
以上のように、この発明によれば、表示パネルを一の向きで使用する場合でも、これに対して反転させた他の向きで使用する場合でも、ＴＶ受信機用の回路基板などの部品を、表示パネルの背面に取り付けることができる。
【発明を実施するための最良の形態】
【００１６】
［１．液晶パネルを用いたＴＶ受信機の例：図１〜図７］
図１〜図７に、この発明の一実施形態として、液晶パネルを用いたＴＶ受信機の例を示す。
【００１７】
（１−１．液晶パネルの構成：図１〜図４）
図１〜図４に、液晶パネルの一例を示す。図１は、液晶パネルの一例の概略を、各構成部品を分けて示した図であり、図２は、部品取付基板であるボトムシャーシの一例を示す図であり、図３は、そのボトムシャーシの一部の断面構造を示す図であり、図４は、ボトムシャーシに液晶パネル用の回路基板を取り付けた状態を示す図である。
【００１８】
図１に示すように、液晶パネル１０は、概略的には、枠状のトップシャーシ１２、液晶パネル本体１１、枠状のミドルシャーシ１３、バックライトユニット１５、および板金などからなる板状のボトムシャーシ１４によって構成し、トップシャーシ１２の内側に液晶パネル本体１１およびミドルシャーシ１３を配置し、液晶パネル本体１１の背面側にバックライトユニット１５およびボトムシャーシ１４を配置して、一体化する。
【００１９】
液晶パネル１０を一体化する方法としては、液晶パネル１０の各コーナー部や周辺部で、各構成部品をネジ（ビス）によって締結する方法や、後述のような方法を用いる。
【００２０】
図１では省略したが、後述のように、液晶パネル本体１１の図１において上側周縁部には、液晶パネル本体１１の内部に形成された液晶駆動回路に接続されたフレキシブルコネクタが設けられる。
【００２１】
さらに、ボトムシャーシ１４の背面には、このフレキシブルコネクタが接続される液晶駆動用のタイミング回路の回路基板４１、およびバックライト駆動用のインバータ回路の回路基板４４および４５が取り付けられ、回路基板４１の背面には、シールド板５１が取り付けられ、回路基板４４および４５の背面には、放熱板５４および５５が取り付けられる。
【００２２】
ボトムシャーシ１４を板金によって形成する場合、図２に示すように、ボトムシャーシ１４の背面には、取付台部（絞り形状の部分）２１ａ，２１ｂ，２１ｃ，２１ｄ，２１ｅ，２２ａ，２２ｂ，２２ｃ，２２ｄ，２２ｅ，２３ａ，２３ｂ，２３ｃ，２３ｄ，２３ｅ，２４ａ，２４ｂ，２４ｃ，２４ｄ，２４ｅ，３１，３２，３３，３４，３５ａ，３５ｂ，３５ｃ，３６ａ，３６ｂ，３６ｃ，３７ａ，３７ｂ，３７ｃ，３８ａ，３８ｂ，３８ｃを形成する。
【００２３】
これらの取付台部のうち、取付台部２１ａと取付台部２３ａはボトムシャーシ１４（液晶パネル１０）の中心Ｐｃに対して点対称に配置形成し、取付台部２１ｄと取付台部２３ｄは中心Ｐｃに対して点対称に配置形成し、取付台部２１ｅと取付台部２３ｅは中心Ｐｃに対して点対称に配置形成し、取付台部２２ａと取付台部２４ａは中心Ｐｃに対して点対称に配置形成し、取付台部２２ｄと取付台部２４ｄは中心Ｐｃに対して点対称に配置形成し、取付台部２２ｅと取付台部２４ｅは中心Ｐｃに対して点対称に配置形成するというように、取付台部２１ａ〜２１ｅ，２２ａ〜２２ｅと、取付台部２３ａ〜２３ｅ，２４ａ〜２４ｅとは、それぞれ中心Ｐｃに対して点対称に配置形成する。
【００２４】
取付台部３１〜３４は、図１に示した回路基板４１の取付用であり、中心Ｐｃに対して点対称ではなく、例えば、取付台部３１，３２と取付台部３３，３４とを左右対称に配置形成する。取付台部３５ａ〜３５ｃ，３６ａ〜３６ｃは、図１に示した回路基板４４の取付用であり、取付台部３７ａ〜３７ｃ，３８ａ〜３８ｃは、図１に示した回路基板４５の取付用であり、中心Ｐｃに対して点対称ではなく、例えば、取付台部３５ａ〜３５ｃ，３６ａ〜３６ｃと取付台部３７ａ〜３７ｃ，３８ａ〜３８ｃとを左右対称に配置形成する。
【００２５】
それぞれの取付台部は、１つの取付台部に位置決め用の凸部（ダボ）と取付穴（取付用の穴）とを形成したもの、１つの取付台部に位置決め用の凸部のみを形成したもの、および１つの取付台部に取付穴のみを形成したものに三分される。
【００２６】
例えば、取付台部２１ｅは、図３に示すように、位置決め用の凸部１４ｇおよび取付穴１４ｈを形成したものであり、取付台部２１ｅと点対称の取付台部２３ｅも、図３では省略したが、凸部１４ｇと点対称に位置決め用の凸部を形成し、取付穴１４ｈと点対称に取付穴を形成したものである。
【００２７】
したがって、回路基板４７を取付台部２１ｅの箇所でボトムシャーシ１４に取り付ける場合、回路基板４７に形成された位置決め用の穴４７ｇに取付台部２１ｅの位置決め用の凸部１４ｇが挿入され、回路基板４７に形成された取付穴４７ｈが取付台部２１ｅの取付穴１４ｈの位置に合うように、回路基板４７をボトムシャーシ１４の背面に配置して、ネジ（ビス）２９を取付穴４７ｈおよび１４ｈに挿入締結する。
【００２８】
図２では省略したが、ボトムシャーシ１４には、そのほか、その周辺部などに、ボトムシャーシ１４をトップシャーシ１２やＴＶ受信機の機器外観部品などに取り付けるなどのための取付穴などを形成する。
【００２９】
液晶パネル１０としては、図４に示すように、上記のボトムシャーシ１４の背面に、上記の回路基板４１，４４および４５を取り付ける。
【００３０】
この場合、回路基板４１は、取付台部３１〜３４によって、位置決めして取り付け、回路基板４４は、取付台部３５ａ〜３５ｃ，３６ａ〜３６ｃによって、位置決めして取り付け、回路基板４５は、取付台部３７ａ〜３７ｃ，３８ａ〜３８ｃによって、位置決めして取り付ける。
【００３１】
また、上記のフレキシブルコネクタ４２を、回路基板４１に接続し、回路基板４１の背面に、シールド板５１を取り付け、そのシールド板５１のケーブル接続口５１ａの位置で、回路基板４１にケーブル４３を接続するとともに、回路基板４４および４５の背面側に、図１に示した放熱板５４および５５を取り付ける。
【００３２】
（１−２．ＴＶ受信機としての構成：図５〜図７）
さらに、ＴＶ受信機としては、図５に示すように、上記のようにボトムシャーシ１４に回路基板４１，４４および４５が取り付けられた液晶パネル１０の、回路基板４１が取り付けられた側をＴＶ受信機の上側にして、ボトムシャーシ１４の背面に、ＴＶ受信機用の回路基板４６〜４９を取り付け、または、図６に示すように、上記のようにボトムシャーシ１４に回路基板４１，４４および４５が取り付けられた液晶パネル１０の、回路基板４１が取り付けられた側をＴＶ受信機の下側にして、ボトムシャーシ１４の背面に、ＴＶ受信機用の回路基板４６〜４９を取り付ける。
【００３３】
図５のように回路基板４１が取り付けられた側を画面上側にする場合には、回路基板４６は、取付台部２１ａ，２１ｂ，２２ａ，２２ｂによって、位置決めして取り付け、回路基板４７は、取付台部２１ｂ〜２１ｅ，２２ｂ〜２２ｅによって、位置決めして取り付け、回路基板４８は、取付台部２３ｃ，２３ｄ，２４ｃ，２４ｄによって、位置決めして取り付け、回路基板４９は、取付台部２３ａ，２３ｂ，２３ｅ，２４ａ，２４ｂ，２４ｅによって、位置決めして取り付ける。
【００３４】
図６のように回路基板４１が取り付けられた側を画面下側にする場合には、回路基板４６は、取付台部２３ａ，２３ｂ，２４ａ，２４ｂによって、位置決めして取り付け、回路基板４７は、取付台部２３ｂ〜２３ｅ，２４ｂ〜２４ｅによって、位置決めして取り付け、回路基板４８は、取付台部２１ｃ，２１ｄ，２２ｃ，２２ｄによって、位置決めして取り付け、回路基板４９は、取付台部２１ａ，２１ｂ，２１ｅ，２２ａ，２２ｂ，２２ｅによって、位置決めして取り付ける。
【００３５】
上記のように、取付台部２１ａ〜２１ｅ，２２ａ〜２２ｅと、取付台部２３ａ〜２３ｅ，２４ａ〜２４ｅとは、それぞれ中心Ｐｃに対して点対称に配置形成されているので、図５のような向きと、図６のような向きの、いずれをも選択することができる。
【００３６】
具体的に、いずれの向きにするかは、ＴＶ受信機の設計の過程で、図５のような向きにした場合の使用時の液晶パネル１０の背面側の温度と、図６のような向きにした場合の使用時の液晶パネル１０の背面側の温度とを、試験的に比較し、使用時の液晶パネル１０の背面側の温度がより下がる方の向きを選択決定し、使用時の液晶パネル１０の背面側の温度がより下がるようにＴＶ受信機を設計する。
【００３７】
例えば、一般に、液晶駆動回路の回路基板４１は、熱がこもりやすい構造になっていて、高温になるが、図５のように回路基板４１を画面上側にし、シールド板５１のケーブル接続口５１ａを下向きにする場合に比べて、図６のように回路基板４１を画面下側にし、シールド板５１のケーブル接続口５１ａを上向きにする場合の方が、自然対流によって、回路基板４１の熱気がケーブル接続口５１ａから上方に逃げやすくなり、回路基板４１の温度が低下する。
【００３８】
これらの点を試験して、回路基板４１，４４〜４９の温度がより低くなり、液晶パネル１０の背面側の温度がより低くなるように、液晶パネル１０の向きを決定する。
【００３９】
いずれの向きにしても、ユーザが接続するアンテナケーブルや、ＨＤＭＩ端子、オーディオ端子、Ｓ端子などの、ＴＶ受信機として必要なケーブルや端子は、回路基板４６〜４９に配置接続することによって、関連物品を変更しないで、液晶パネル１０を使用することができるようになる。
【００４０】
また、上記のように回路基板４１が高温になる場合などに、このように液晶パネル１０の背面側の温度がより低くなるように液晶パネル１０の向きを選択決定することによって、例えば、回路基板４４および４５の背面側の放熱板５４および５５に強制排気用のファン（ｆａｎ）を設けなくても、液晶パネル１０の背面側の温度を下げることが可能になる。
【００４１】
さらに、ボトムシャーシ１４の作成用のプレス金型も、汎用性の可能性が広がるので、金型の新規増型を抑える効果もある。
【００４２】
図７に、以上のように液晶パネル１０の向きが選択決定されて製造されたＴＶ受信機の一例の、正面側から見た外観を示す。
【００４３】
この例のＴＶ受信機１は、スタンド９に取り付けられる。ただし、ＴＶ受信機としては、必ずしもスタンド型である必要はなく、壁掛け型などとして構成することもできる。
【００４４】
さらに、ＴＶ受信機１は、正面側（前面側）に、機器外観部品としてベズル６０を備えるものとする。ベズル６０は、前面板部６１と側板部６２とが一体の額縁形状に形成し、その内側に液晶パネル１０を、図５のような向き、または図６のような向きで、取り付ける。
【００４５】
取り付けにあたっては、液晶パネル１０およびベズル６０の各コーナー部や周辺部で、ネジ（ビス）によって液晶パネル１０およびベズル６０を一体に締結する方法、バンド状またはアーム状の取付部材によって、液晶パネル１０をベズル６０に固定保持する方法、液晶パネル１０の背面側で液晶パネル１０とベズル６０との間の隙間に取付金具などの取付部品を挿入し、その取付部品の一方の側をベズル６０の内側にネジ止めし、他方の側を折り曲げてボトムシャーシ１４の周辺部にネジ止めする方法、などの方法を用いることができる。
【００４６】
ベズル６０の画面下側の画面横方向に帯状に延びた部分６９の、ＴＶ受信機１の内部に設けられる左右のスピーカの配置位置に相当する位置には、多数の微細な放音用の穴が形成される。
【００４７】
（１−３．他の例）
上記の例は、液晶パネル１０の背面に取り付けられるボトムシャーシ１４を板金によって形成する場合であるが、液晶パネルの背面に取り付けられるボトムシャーシないし部品取付基板は、樹脂のモールド成形によって形成してもよく、その場合には、回路基板などの部品の取付用の穴および位置決め用の凸部は、図２に示したような取付台部としてではなく、取付用ボスなどとして形成することができる。
【００４８】
［２．他の実施形態］
上述した実施形態は、液晶パネルの場合であるが、この発明は、有機ＥＬ（エレクトロルミネセンス）ディスプレイやプラズマディスプレイなどの表示パネルにも適用することができる。ただし、有機ＥＬディスプレイやプラズマディスプレイは、自発光のディスプレイであるので、バックライトユニットは不要である。
【００４９】
また、この発明は、ＴＶ受信機に限らず、液晶パネルなどの表示パネルによって画像や文字などを表示する機器であれば、コンピュータ用の表示機器や、店舗や街頭などでの装飾用や広告宣伝用の表示機器などにも適用することができる。
【図面の簡単な説明】
【００５０】
【図１】この発明の液晶パネルの一例の概略を各構成部品を分けて示す図である。
【図２】この発明の部品取付基板としてのボトムシャーシの一例を示す図である。
【図３】図２のボトムシャーシの一部の断面構造を示す図である。
【図４】この発明の液晶パネルの一例を背面側から見た図である。
【図５】ＴＶ受信機用の回路基板を取り付けた状態の液晶パネルの一例を背面側から見た図である。
【図６】ＴＶ受信機用の回路基板を取り付けた状態の液晶パネルの他の例を背面側から見た図である。
【図７】この発明のＴＶ受信機の一例を正面側から見た図である。
【図８】液晶パネルの背面に部品を取り付ける場合の説明に供する図である。
【図９】液晶パネルの背面に部品を取り付ける場合の説明に供する図である。
【符号の説明】
【００５１】
主要部については図中に全て記述したので、ここでは省略する。
【図１】
2008096666.tif 000003
【図２】
2008096666.tif 000004
【図３】
2008096666.tif 000005
【図４】
2008096666.tif 000006
【図５】
2008096666.tif 000007
【図６】
2008096666.tif 000008
【図７】
2008096666.tif 000009
【図８】
2008096666.tif 000010
【図９】
2008096666.tif 000011